【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
組成物であって、
水性溶媒中に分散した金属ナノ粒子の集団を有し、
前記集団の少なくとも一部は、約１ｎｍから約１００ｎｍの範囲の平均断面直径を有するものとして特徴付けされた個々の金属ナノ粒子を有するものであり、
前記各ナノ粒子は、その表面に結合した少なくとも一つのリガンドを有し、前記リガンドは前記ナノ粒子表面に結合したヘテロ原子頭部基及び前記ヘテロ原子頭部基に結合した尾部を有するものである、組成物。
【請求項２】
請求項１記載の組成物において、前記ナノ粒子集団はさらに、
２若しくはそれ以上の個々のナノ粒子、２若しくはそれ以上の個々のナノ粒子を含むナノ粒子フロック、或いはそれらのあらゆる組み合わせを含む粒子凝集体を有するものである。
【請求項３】
請求項２記載の組成物において、前記個々の金属ナノ粒子の集団の粒子凝集体に対する重量比は、約１：９９から９９：１の範囲である。
【請求項４】
請求項２記載の組成物において、前記個々の金属ナノ粒子の集団の粒子フロックに対する重量比は、約１：９９から９９：１の範囲である。
【請求項５】
請求項２記載の組成物において、ナノ粒子凝集体は、約１００ｎｍから約１００００ｎｍの範囲の平均断面直径を有するものである。
【請求項６】
請求項２記載の組成物において、ナノ粒子フロックは、約１００ｎｍから約１００００ｎｍの範囲の平均断面直径を有するものである。
【請求項７】
請求項１記載の組成物において、個々の金属ナノ粒子は、銀、銅、金、亜鉛、カドミウム、パラジウム、イリジウム、ルテニウム、オスミウム、ロジウム、白金、鉄、ニッケル、コバルト、インジウム、酸化銀、酸化銅、酸化金、酸化亜鉛、酸化カドミウム、酸化パラジウム、酸化イリジウム、酸化ルテニウム、酸化オスミウム、酸化ロジウム、酸化白金、酸化鉄、酸化ニッケル、酸化コバルト、酸化インジウム、或いはそれらのあらゆる組み合わせを有するものである。
【請求項８】
請求項１記載の組成物において、前記組成物は、約１４０℃を下回る温度で約６０秒未満硬化させた後、厚さ約１０μｍ未満の凝集構造を形成するものである。
【請求項９】
組成物であって、
約１４０℃を下回る温度で約９０秒未満硬化させた後、厚さ約１０μｍ以下の凝集構造を形成する、少なくとも一つの金属ナノ粒子を有する金属ナノ粒子混合物を有し、前記凝集構造は、前記対応する金属のバルク抵抗率の約２倍から約１５倍の範囲の抵抗率を有するものである、組成物。
【請求項１０】
請求項９記載の組成物において、前記混合物は、金属ナノ粒子の集団、リガンド、水性溶媒、或いはそれらのあらゆる組み合わせを有するものである。
【請求項１１】
請求項１０記載の組成物において、個々の金属ナノ粒子は、約１ｎｍから約１００ｎｍの範囲の平均断面直径を有するものである。
【請求項１２】
請求項１０記載の組成物において、個々の金属ナノ粒子は、銀、銅、金、亜鉛、カドミウム、パラジウム、イリジウム、ルテニウム、オスミウム、ロジウム、白金、鉄、ニッケル、コバルト、インジウム、酸化銀、酸化銅、酸化金、酸化亜鉛、酸化カドミウム、酸化パラジウム、酸化イリジウム、酸化ルテニウム、酸化オスミウム、酸化ロジウム、酸化白金、酸化鉄、酸化ニッケル、酸化コバルト、酸化インジウム、或いはそれらのあらゆる組み合わせを有するものである。
【請求項１３】
金属ナノ粒子分散物を合成する方法であって、
少なくとも１つのリガンドであって、このリガンドは１から約２０炭素原子を有する尾部に結合したヘテロ原子頭部基を有するものである、リガンドと、
少なくとも１つの還元剤と、
水性分散溶液中における少なくとも１つの金属塩であって、この金属塩は、前記分散溶液の容積に基づいて約１０グラム／リットルから約６００グラム／リットルの範囲の濃度で分散して存在するものであり、前記金属塩は、銀、銅、金、亜鉛、カドミウム、パラジウム、イリジウム、ルテニウム、オスミウム、ロジウム、白金、鉄、ニッケル、コバルト、インジウム、或いはそれらのあらゆる組み合わせを含む少なくとも１つのカチオンを有するものである、金属塩と
を水性溶媒において反応させる工程を有する、方法。
【請求項１４】
請求項１３記載の方法において、前記リガンドは、そのヘテロ原子頭部基によって金属ナノ粒子の表面に結合し、凝集に対して少なくとも一部は安定化されている金属ナノ粒子をもたらすものとして特徴付けされるものである。
【請求項１５】
請求項１４記載の方法において、この方法は、さらに、
約０．１：１から約１：１の範囲の各モル比で前記リガンド及び金属塩を組み合わせる工程を有するものである。
【請求項１６】
請求項１５記載の方法において、この方法は、さらに、
約１：１０から約４：１の範囲の各モル比で前記金属塩及び還元剤を組み合わせる工程を有するものである。
【請求項１７】
基質上に導電性構造を形成する方法であって、
前記基質に組成物を堆積させる工程であって、前記組成物は、金属ナノ粒子の少なくとも１つの集団を有し、前記集団の少なくとも一部は、約１ｎｍから約３０ｎｍの範囲の平均断面直径を有するものとして特徴付けされた個々の金属ナノ粒子を有するものであり、
前記各ナノ粒子は、その表面に結合した少なくとも一つのリガンドを有し、このリガンドは、前記ナノ粒子表面に結合したヘテロ原子頭部基及び前記ヘテロ原子頭部基に結合した尾部を有するものである、堆積させる工程と、
前記堆積させた組成物を硬化させる工程と
を有する、方法。
【請求項１８】
請求項１７記載の方法において、前記堆積させる工程は、印刷方法を有するものである。
【請求項１９】
請求項１７記載の方法において、前記ナノ粒子は、約０．５から約７０重量％の範囲で存在するものである。
【請求項２０】
請求項１７記載の方法において、前記組成物は、さらに、
流動学的重合調整剤（ｒｈｅｏｌｏｇｙ  ｍｏｄｉｆｉｅｒ）を有するものである。
【請求項２１】
導電性構造を形成する方法であって、
基質に少なくとも１つの金属ナノ粒子を有する金属ナノ粒子組成物を堆積させる工程であって、前記組成物は、約１４０℃を下回る温度で約９０秒未満硬化させた後、対応する金属のバルク抵抗率の約２倍から約１５倍の範囲の抵抗率を有し、さらに約２０μｍ以下の厚さを有する凝集性導電性構造を形成させるものである、前記堆積させる工程と、
前記堆積させた組成物を硬化させる工程と
を有する、方法。
【請求項２２】
請求項２１記載の方法において、前記堆積させる工程は、印刷方法を有するものである。
【請求項２３】
請求項２１記載の方法において、個々の金属ナノ粒子は、約１ｎｍから約１００ｎｍの範囲の平均断面直径を有するものである。
【請求項２４】
請求項２１記載の方法において、個々の金属ナノ粒子は、銀、銅、金、亜鉛、カドミウム、パラジウム、イリジウム、ルテニウム、オスミウム、ロジウム、白金、鉄、ニッケル、コバルト、インジウム、酸化銀、酸化銅、酸化金、酸化亜鉛、酸化カドミウム、酸化パラジウム、酸化イリジウム、酸化ルテニウム、酸化オスミウム、酸化ロジウム、酸化白金、酸化鉄、酸化ニッケル、酸化コバルト、酸化インジウム、或いはそれらのあらゆる組み合わせを有するものである。
【請求項２５】
請求項２１の方法によって製造される伝導性構造。
【手続補正２】
【補正対象書類名】明細書
【補正対象項目名】００１４
【補正方法】変更
【補正の内容】
【００１４】
さらに、穏やかな加工条件下、大きな金属粒子を導入して導電性構造を形成することは
難しいため、低温のみに耐えられる基質上へ厚い導電性構造を形成する方法に対する必要
性もある。そのような方法に適したあらゆる組成物に対する関連した必要性も存在する。
この出願の発明に関連する先行技術文献情報としては、以下のものがある（国際出願日以降国際段階で引用された文献及び他国に国内移行した際に引用された文献を含む）。
【特許文献１】米国特許出願第２００４／００１３９０７号
【特許文献２】米国特許出願第２００５／０１４２０３０号
【特許文献３】米国特許出願第２００５／００１６８５１号
【特許文献４】米国特許第６，６４５，４４４号明細書
【特許文献５】米国特許第６，７６５，０４９号明細書
【特許文献６】米国特許第６，８７８，１８４号明細書